(57)【要約】【課題】高く積み上げることなく、浸水を効果的に抑制することが可能なウォーターフェンスを提供する。【解決手段】このウォーターフェンス１００は、設置面に沿って配置された底面部材１１と、底面部材１１に接続されて鉛直方向（Ｚ方向）に沿って延びる背面部材１２とを備え、底面部材１１には、底面部材１１と設置面との間の水を吸い取るポンプ３を取り付けるための吸水装置取付部１３が設けられている。【選択図】図１
2018017046.tif 000002
【特許請求の範囲】
【請求項１】
設置面に沿って配置された底面部材と、
前記底面部材に接続されて鉛直方向に沿って延びる背面部材とを備え、
前記底面部材には、前記底面部材と設置面との間の水を吸い取る吸水装置を取り付けるための吸水装置取付部が設けられている、ウォーターフェンス。
【請求項２】
前記底面部材および前記背面部材は、それぞれ、折り畳み可能な部材により形成されている、請求項１に記載のウォーターフェンス。
【請求項３】
前記底面部材の底面に配置され、前記底面部材の設置面への設置性を向上させる設置力増強部材をさらに備える、請求項１または２に記載のウォーターフェンス。
【請求項４】
前記底面部材は、前記設置力増強部材が取り付けられた状態で、前記設置力増強部材を内側にして折り畳むことが可能に構成されている、請求項３に記載のウォーターフェンス。
【請求項５】
前記底面部材と、前記背面部材とは、互いに着脱可能に構成されている、請求項１〜４のいずれか１項に記載のウォーターフェンス。
【請求項６】
前記底面部材は、第１底面部材と、第２底面部材とを含み、
前記背面部材は、第１背面部材と、第２背面部材とを含み、
前記第１底面部材および前記第１背面部材により構成される第１ウォーターフェンス本体部と、前記第２底面部材および前記第２背面部材により構成される第２ウォーターフェンス本体部とは、互いに着脱可能に構成されている、請求項１〜５のいずれか１項に記載のウォーターフェンス。
【請求項７】
前記吸水装置取付部は、前記第１底面部材および前記第２底面部材のいずれか一方に設けられている、請求項６に記載のウォーターフェンス。
【請求項８】
前記底面部材および前記背面部材は、それぞれ、プラスチック製段ボールにより形成されており、
前記底面部材のプラスチック製段ボールの筋は、前面から背面に向かう方向に沿って延びており、
前記背面部材のプラスチック製段ボールの筋は、鉛直方向に沿って延びている、請求項２に記載のウォーターフェンス。
【請求項９】
前記底面部材と、前記設置力増強部材との間に配置され、前記底面部材の底面を覆う底板をさらに備え、
前記設置力増強部材は、前記底板に貼り付けられている、請求項３に記載のウォーターフェンス。
【発明の詳細な説明】
【技術分野】
【０００１】
この発明は、ウォーターフェンスに関する。
【背景技術】
【０００２】
従来、浸水を抑制するためのウォーターブロック（ウォーターフェンス）が知られている（たとえば、特許文献１参照）。
【０００３】
上記特許文献１には、洪水などによって大量の水が流れ出た場合、水を注水して、流出した水による浸水を防ぐ防水壁として機能させるためのウォーターブロック（ウォーターフェンス）が開示されている。
【先行技術文献】
【特許文献】
【０００４】
【特許文献１】特開２０００−１４４６７２号公報
【発明の概要】
【発明が解決しようとする課題】
【０００５】
しかしながら、上記特許文献１のウォーターブロックは、水を注水して防水壁を構成する発明であるが、ウォーターブロックの比重と浸水しようとする水の比重とが略等しいため、ウォーターブロックが浮き上がり流されやすくなるという不都合がある。このため、ウォーターブロックの重量を大きくするために、ウォーターブロックを浸水しようとする水の水位よりも過度に高く積み上げる必要があるという問題点がある。
【０００６】
この発明は、上記のような課題を解決するためになされたものであり、この発明の１つの目的は、高く積み上げることなく、浸水を効果的に抑制することが可能なウォーターフェンスを提供することである。
【課題を解決するための手段】
【０００７】
この発明の一の局面によるウォーターフェンスは、設置面に沿って配置された底面部材と、底面部材に接続されて鉛直方向に沿って延びる背面部材とを備え、底面部材には、底面部材と設置面との間の水を吸い取る吸水装置を取り付けるための吸水装置取付部が設けられている。
【０００８】
この発明の一の局面によるウォーターフェンスでは、上記のように構成することによって、吸水装置によりウォーターフェンスの底面部材と設置面との間の水が空気とともに吸い取られるので、ウォーターフェンスの底面部材と設置面との間に負圧を発生させることができる。これにより、底面部材および底面部材に接続された背面部材が設置面に対して浮き上がるのを抑制することができるので、ウォーターフェンスの総重量を小さくした場合でも、ウォーターフェンスが水に流されるのを抑制することができる。これにより、ウォーターフェンスを高く積み上げる必要がない。また、吸水装置により、侵入しようとする水を排出することができるので、浸水を効果的に抑制することができる。また、底面部材と背面部材とによりウォーターフェンスを構成することにより、ウォーターフェンスを箱型形状に形成する場合に比べて、堰としての有効面積が同じ場合、保管時のスペースを小さくすることができる。
【０００９】
上記一の局面によるウォーターフェンスにおいて、好ましくは、底面部材および背面部材は、それぞれ、折り畳み可能な部材により形成されている。このように構成すれば、ウォーターフェンスを構成する底面部材および背面部材を折り畳むことができるので、ウォーターフェンスの保管時のスペースが大きくなるのを抑制することができる。
【００１０】
上記一の局面によるウォーターフェンスにおいて、好ましくは、底面部材の底面に配置され、底面部材の設置面への設置性を向上させる設置力増強部材をさらに備える。このように構成すれば、凹凸のある設置面に対しての設置性や水密性を向上させることができるので、安定してウォーターフェンスを設置することができる。その結果、ウォーターフェンスの底面からの浸水を効果的に抑制することができる。
【００１１】
この場合、好ましくは、底面部材は、設置力増強部材が取り付けられた状態で、設置力増強部材を内側にして折り畳むことが可能に構成されている。このように構成すれば、設置力増強部材に比べて硬くすることができる底面部材を外側にして折り畳むことができるので、ウォーターフェンスが保管時に変形することを抑制することができる。
【００１２】
上記一の局面によるウォーターフェンスにおいて、好ましくは、底面部材と、背面部材とは、互いに着脱可能に構成されている。このように構成すれば、底面部材と背面部材とを分離させた状態で保管することができるので、ウォーターフェンスの保管時の自由度を向上させることができる。
【００１３】
上記一の局面によるウォーターフェンスにおいて、好ましくは、底面部材は、第１底面部材と、第２底面部材とを含み、背面部材は、第１背面部材と、第２背面部材とを含み、第１底面部材および第１背面部材により構成される第１ウォーターフェンス本体部と、第２底面部材および第２背面部材により構成される第２ウォーターフェンス本体部とは、互いに着脱可能に構成されている。このように構成すれば、浸水を防ぎたい場所の大きさに合わせてウォーターフェンスの長さを調整することができるので、必要以上にウォーターフェンスを長くする必要がない。
【００１４】
この場合、好ましくは、吸水装置取付部は、第１底面部材および第２底面部材のいずれか一方に設けられている。このように構成すれば、第１ウォーターフェンス本体部または第２ウォーターフェンスのうち一方のみでウォーターフェンスを構成することができる。
【００１５】
上記底面部材および背面部材がそれぞれ折り畳み可能な部材により形成されている構成において、好ましくは、底面部材および背面部材は、それぞれ、プラスチック製段ボールにより形成されており、底面部材のプラスチック製段ボールの筋は、前面から背面に向かう方向に沿って延びており、背面部材のプラスチック製段ボールの筋は、鉛直方向に沿って延びている。このように構成すれば、プラスチック製段ボールにより、ウォーターフェンスを容易に組み立てることができる。また、底面部材のプラスチック製段ボールの筋を前面から背面に向かう方向に配置することにより、水が押し寄せる方向のウォーターフェンスの機械的強度を高めることができるので、ウォーターフェンスが、押し寄せる水により変形するのを抑制することができる。また、背面部材のプラスチック製段ボールの筋を鉛直方向に配置することにより、背面部材の上下方向の機械的強度を高めることができるので、背面部材が上下方向に折れ曲がるのを抑制することができる。
【００１６】
上記設置力増強部材を備える構成において、好ましくは、底面部材と、設置力増強部材との間に配置され、底面部材の底面を覆う底板をさらに備え、設置力増強部材は、底板に貼り付けられている。このように構成すれば、設置力増強部材を底面部材の底面に容易に取り付けることができるので、ウォーターフェンスを短時間で組み立てることができる。
【発明の効果】
【００１７】
本発明によれば、上記のように、高く積み上げることなく、浸水を効果的に抑制することができる。
【図面の簡単な説明】
【００１８】
【図１】本発明の第１実施形態によるウォーターフェンスを示した斜視図である。
【図２】本発明の第１実施形態によるウォーターフェンスを前方から見た正面図である。
【図３】本発明の第１実施形態によるウォーターフェンスを底面側から見た図である。
【図４】本発明の第１実施形態によるウォーターフェンスの吸水装置取付部を説明するための図である。
【図５】本発明の第１実施形態によるウォーターフェンスの折り畳みを説明するための図である。
【図６】本発明の第１実施形態によるウォーターフェンスの底面部材および背面部材の特性を示した表である。
【図７】本発明の第１実施形態によるウォーターフェンスの設置力増強部材の特性を示した表である。
【図８】本発明の第１実施形態によるウォーターフェンスの設置力増強部材の水透過の特性を示した表である。
【図９】本発明の第１実施形態によるウォーターフェンスのチューブ材の特性を示した表である。
【図１０】本発明の第２実施形態によるウォーターフェンスを示した斜視図である。
【図１１】本発明の第２実施形態によるウォーターフェンスを底面側から見た図である。
【図１２】本発明の第２実施形態によるウォーターフェンスの折り畳みを説明するための図である。
【図１３】本発明の第３実施形態によるウォーターフェンスを示した斜視図である。
【図１４】本発明の第３実施形態によるウォーターフェンスの底面部材と背面部材とを分離した状態を示した斜視図である。
【図１５】本発明の第３実施形態によるウォーターフェンスの折り畳みを説明するための図である。
【図１６】本発明の第４実施形態によるウォーターフェンスを示した斜視図である。
【図１７】本発明の第４実施形態によるウォーターフェンスを底面側から見た図である。
【図１８】本発明の第５実施形態によるウォーターフェンスを示した斜視図である。
【図１９】本発明の第４および第５実施形態の変形例によるウォーターフェンスを底面側から見た図である。
【図２０】本発明の第５実施形態の変形例によるウォーターフェンスを示した斜視図である。
【発明を実施するための形態】
【００１９】
以下、本発明の実施形態を図面に基づいて説明する。
【００２０】
（第１実施形態）
図１〜図９を参照して、本発明の第１実施形態によるウォーターフェンス１００の構成について説明する。
【００２１】
（ウォーターフェンスの構成）
図１〜図９を参照して、本発明の一実施形態について説明する。本実施形態によるウォーターフェンス１００は、建物への浸水を防いだり、工事現場などにおいて水を長時間せき止めたり、流れを有する河川などをせき止めたりするために用いられる。ウォーターフェンス１００は、図１および図２に示すように、ウォーターフェンス本体部１と、設置力増強部材２とを備えている。ウォーターフェンス１００は、Ｘ方向に延びるように形成されており、Ｙ方向の水を止めるように設置される。また、図１に示すように、ウォーターフェンス１００には、自吸機能を有した自吸ポンプ（以下「ポンプ」と称す）３が接続されている。ポンプ３は、急な増水に対しても信頼性の高い水没使用が可能な防水構造を有するポンプとすることが望ましい。また、ウォーターフェンス１００は、図３に示すように、設置力増強部材２の底面に配置されたチューブ材２１ａおよび２２ａを備えている。なお、ポンプ３は、特許請求の範囲の「吸水装置」の一例である。
【００２２】
ウォーターフェンス本体部１は、図１に示すように、底面部材１１と、背面部材１２と、吸水装置取付部１３と、シール材１４とを含んでいる。ウォーターフェンス本体部１は、浸水を防止するための堰を形成している。具体的には、ウォーターフェンス本体部１は、柱１０や壁或いは扉（図示せず）などの前面側（Ｙ２方向側）に配置され、背面側（Ｙ１方向側）への浸水を防止する堰を形成している。ウォーターフェンス本体部１は、底面部材１１と背面部材１２とにより、Ｘ方向に見て、略Ｌ字形状を有している。ウォーターフェンス本体部１は、底面部材１１および背面部材１２に沿って、Ｌ字形状の重しを配置することが可能に構成されている。
【００２３】
ここで、第１実施形態では、図１に示すように、底面部材１１は、設置面に沿って配置されている。具体的には、底面部材１１は、水平方向（ＸＹ方向）に沿って延びる板状に形成されている。また、底面部材１１は、Ｘ方向に延びる矩形形状に形成されている。また、底面部材１１は、水を透過させない素材により形成されている。また、底面部材１１は、折り畳み可能な部材により形成されている。底面部材１１は、たとえば、プラスチック製段ボールにより形成されている。プラスチック製段ボールの厚さは、３ｍｍ以上５ｍｍ以下程度である。プラスチック製段ボールは、ポリプロピレンなどのプラスチックにより形成されている。プラスチック製段ボールは、波状の芯部材を外側の一対の平板状の部材により挟み込んで形成されている。つまり、プラスチック製段ボールは、芯部材の波の筋方向により、異なる機械的強度を有している。具体的には、プラスチック製段ボールの筋方向の圧縮強度は、筋方向と直交する方向の圧縮強度より強い。
【００２４】
底面部材１１の略中央には、底面部材１１と設置面との間の水を吸い取るポンプ３を取り付けるための吸水装置取付部１３が配置されている。具体的には、図２に示すように、底面部材１１には、下方から吸水装置取付部１３が取り付けられた板材２１１が取り付けられている。また、図４に示すように、吸水装置取付部１３は、底面部材１１に設けられた孔１１ａに挿入されている。また、底面部材１１のプラスチック製段ボールの筋は、前面から背面に向かう方向（Ｘ方向）に沿って延びるように配置されている。これにより、底面部材１１のＹ方向の機械的強度を高めることが可能である。
【００２５】
また、第１実施形態では、背面部材１２は、底面部材１１に接続されて鉛直方向（Ｚ方向）に沿って延びるように配置されている。具体的には、背面部材１２は、鉛直方向に沿って延びる板状に形成されている。また、背面部材１２は、Ｘ方向に延びる矩形形状に形成されている。また、背面部材１２は、両面テープやマジックテープ（登録商標）などにより、背面側（Ｙ１方向側）の柱１０に密着するように配置されている。
【００２６】
また、背面部材１２は、水を透過させない素材により形成されている。また、背面部材１２は、折り畳み可能な部材により形成されている。背面部材１２は、底面部材１１と同様に、プラスチック製段ボールにより形成されている。また、背面部材１２のプラスチック製段ボールの筋は、鉛直方向（Ｚ方向）に沿って延びるように配置されている。これにより、背面部材１２のＺ方向の機械的強度を高めることが可能である。
【００２７】
吸水装置取付部１３は、底面と設置面との間の水を吸い取るポンプ３を取り付けるために設けられている。具体的には、吸水装置取付部１３の上側（Ｚ１方向側）の端部には、ポンプ３に接続される管３１（ホースなど）が接続されるように構成されている。
【００２８】
吸水装置取付部１３は、図４に示すように、底面部材１１の孔１１ａおよび板材２１１の孔２１１ａに挿入されている。吸水装置取付部１３は、底面部材１１に当接する当接部１３１を含んでいる。吸水装置取付部１３の下側（Ｚ２方向側）の端部には、ウォーターフェンス本体部１の底面と設置面との間の水を吸い取るための吸水パイプ１３２が接続されている。これにより、ウォーターフェンス本体部１の底面と設置面との間の水が、ポンプ３により吸水される。なお、吸水パイプ１３２に、異物除去用のフィルターを設けてもよい。これにより、ポンプ３によって吸い込み、排出される水からゴミなどの異物を除去することができるので、緊急時の水として活用することも可能である。なお、フィルターは吸込みから排出までの間に設けられれば良いので、ポンプ３の吸水用ホースなどに設けてもよい。
【００２９】
また、吸水装置取付部１３の外周には、ネジ山が切られている。吸水装置取付部１３には、当接部１３１とともに底面部材１１および板材２１１を挟み込んで固定する締結部材１３３が締結される。つまり、吸水装置取付部１３は、締結部材１３３と締結されて、底面部材１１と、板材２１１とを固定している。締結部材１３３は、たとえば、ナットである。また、当接部１３１および板材２１１の間と、底面部材１１および締結部材１３３の間とには、それぞれ、ガスケット１３４が配置されている。これにより、孔１１ａおよび２１１ａから底面部材１１の下側（設置面側）に水が入り込むのを抑制することが可能である。
【００３０】
シール材１４は、図１および図３に示すように、底面部材１１の背面側（Ｙ１方向側）に配置されている。シール材１４は、背面部材１２と、設置力増強部材２と、柱１０との間の隙間を埋めるために設けられている。シール材１４は、水を通しにくい材料により形成されている。また、シール材１４は、弾性を有する（柔らかい）部材により形成されている。また、シール材１４は、柱１０に対応する部分に配置されている。シール材１４は、たとえば、設置力増強部材２と同じ材料により形成されている。
【００３１】
図１に示すように、設置力増強部材２は、ウォーターフェンス本体部１の底面に配置され、ウォーターフェンス本体部１（底面部材１１）の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。
【００３２】
具体的には、設置力増強部材２は、ウォーターフェンス本体部１の自重と、ポンプ３が吸水することにより生じる負圧と、柱１０の前に押し寄せる水の重さとにより、圧縮されて、水の透過率が所定の値となることにより、ウォーターフェンス本体部１の底面と設置面との間に外部からの水を所定量透過させてポンプ３の自吸水を確保するように構成されている。
【００３３】
設置力増強部材２は、半連続気泡構造を有しており、圧縮変形されることにより水の透過率が変化するように構成されている。設置力増強部材２は、たとえば、半連続気泡構造の気孔率５０％〜６０％程度のやわらかいスポンジ材により形成されている。また、設置力増強部材２は、半連続気泡構造のスポンジが圧縮されることによりスポンジの孔が小さくなり、水の透過率が変わるように構成されている。また、設置力増強部材２は、圧縮力がかからない状態において、たとえば、約２０ｍｍ以上約３０ｍｍ以下の高さを有する。ポンプ３が駆動された場合、半連続気泡構造のスポンジは５０〜８０％程度圧縮されることが望ましい。
【００３４】
また、ポンプ３は設置力増強部材２を透過した水を、設置面内側の空間の空気とともに吸引するように構成されている。つまり、設置力増強部材２により吸水された水が吸水パイプ１３２を介してポンプ３に吸引されるように構成されている。なお、ポンプ３は、空気とともに水を吸い込むので、ポンプ３の吐出口から水を吐き出す状態と、ポンプ３の吐出口から少しの水を空気とともに吐き出す状態とを数秒程度の周期で繰り返す間欠運転となる。
【００３５】
また、ポンプ３により、設置力増強部材２を透過した水を、設置面内側の空間の空気とともに吸引することにより、ウォーターフェンス本体部１（底面部材１１）と設置面との間の空間の真空度が上げられる（空間の気圧が下がる）。これにより、設置面に対してウォーターフェンス本体部１を安定させて配置することが可能に構成されている。その結果、ウォーターフェンス本体部１が水により押されて変形したり、流されたりすることを効果的に抑制することが可能である。
【００３６】
また、設置力増強部材２は、両面テープなどの接着層を介して、底面部材１１および板材２１１に取り付けられる。また、図３に示すように、設置力増強部材２は、平面視において（Ｚ方向から見て）、ウォーターフェンス本体部１の底面の外周部に環状に配置されている。
【００３７】
また、設置力増強部材２は、図２に示すように、分割可能に構成されている。具体的には、設置力増強部材２は、板材２１１に貼り付けられる設置力増強部材２１と、底面部材１１に直接貼り付けられる設置力増強部材２２とに分割可能に構成されている。設置力増強部材２１は、板材２１１とともに、底面部材１１に対して着脱可能に構成されている。
【００３８】
また、設置力増強部材２１は、組み立てる前において、端部が板材２１１からＸ方向にはみ出して構成していることが望ましい。たとえば、設置力増強部材２１は、Ｘ１側およびＸ２側の端部が、板材２１１の端部よりも５〜１０ｍｍ程度突出して構成してもよい。なお、突出量は、ウォーターフェンス１００のＸ方向の長さ、設置力増強部材２の硬さなどに応じて適宜設定してもよい。これにより、設置力増強部材２１および２２のＸ方向の端部同士を合わせた場合に、設置力増強部材２１および２２が圧縮されて端部同士が合わされる。これにより、設置力増強部材２１および２２の端部間に隙間が生じるのを抑制して、密着させた状態でウォーターフェンス１００を組み立てることができるので、ウォーターフェンス本体部１と設置面との間の気密性を高めることができる。その結果、ポンプ３の吸引により、ウォーターフェンス本体部１と設置面との間の空間の真空度を効果的に上げる（空間の気圧を下げる）ことが可能である。
【００３９】
図３に示すように、チューブ材２１ａおよび２２ａは、設置力増強部材２の底面に配置されている。具体的には、チューブ材２１ａは、設置力増強部材２１の底面に配置されている。チューブ材２２ａは、設置力増強部材２２の底面に配置されている。また、チューブ材２１ａおよび２２ａは、設置力増強部材２よりも低い吸水率を有するとともに、設置力増強部材２よりも柔らかい。具体的には、チューブ材２１ａおよび２２ａは、中空形状を有する管状部材である。また、チューブ材２１ａおよび２２ａは、外力により変形しやすい材料により形成されている。たとえば、チューブ材２１ａおよび２２ａは、ゴムにより形成されている。また、チューブ材２１ａおよび２２ａは、断面形状が楕円形状を有している。また、チューブ材２１ａおよび２２ａは、たとえば、１．５ｍｍ程度の肉厚を有する管状部材である。また、チューブ材２１ａおよび２２ａは、設置力増強部材２に、接着層を介して貼りつけられている。たとえば、チューブ材２１ａおよび２２ａは、ゲル状の瞬間接着材により設置力増強部材２に接着されている。なお、接着層は、テープ等であってもよい。また、接着層は、耐水性があるものが好ましい。
【００４０】
また、チューブ材２１ａおよび２２ａは、設置面の目地などの凹凸に食い込むように構成されている。つまり、チューブ材２１ａおよび２２ａは、ウォーターフェンス本体部１の自重と、ポンプ３の吸引力によって生じる負圧と、柱１０の前に押し寄せる水の重さとにより圧縮されるように構成されている。これにより、チューブ材２１ａおよび２２ａが設置面の凹凸にフィッティングするように構成されている。また、チューブ材２１ａおよび２２ａが圧縮されて変形することにより、設置力増強部材２も設置面に密着して接するように構成されている。
【００４１】
また、チューブ材２１ａおよび２２ａは、設置力増強部材２よりも小さい幅を有する。たとえば、チューブ材２１ａおよび２２ａは、設置力増強部材２の１／４程度の幅を有する。また、チューブ材２１ａおよび２２ａは、設置面の目地などの凹凸の深さと同程度、または、少し大きい高さを有する。たとえば、チューブ材２１ａおよび２２ａは、１０ｍｍ以下の高さを有する。
【００４２】
また、チューブ材２１ａおよび２２ａは、設置力増強部材２に沿って配置されている。具体的には、チューブ材２１ａおよび２２ａは、平面視において（Ｚ方向に見て）略ロ字形状に配置された設置力増強部材２に沿って、略ロ字形状に配置されている。また、チューブ材２１ａおよび２２ａは、設置力増強部材２の略中央に配置されている。また、チューブ材２１ａおよび２２ａは、分割可能に構成されている。
【００４３】
また、分割されたチューブ材２１ａおよび２２ａは、平面視において（Ｚ方向に見て）、互いに端部がずれた状態で配置されている。具体的には、Ｘ方向外側に配置されたチューブ材２２ａのＸ方向内側の端部は、Ｙ方向における外側に曲げられて、Ｘ方向中央に配置されたチューブ材２１ａに対して端部がずれるように配置されている。
【００４４】
ここで、第１実施形態では、図５に示すように、底面部材１１は、設置力増強部材２が取り付けられた状態で、設置力増強部材２を内側にして折り畳むことが可能に構成されている。具体的には、底面部材１１は、板材２１１、吸水装置取付部１３および中央の設置力増強部材２１が取り外された状態で、設置力増強部材２２を内側にして折り畳むことが可能に構成されている。
【００４５】
ポンプ３は、ウォーターフェンス本体部１の底面と設置面との間の水を吸い取るように構成されている。また、ポンプ３は、水深が浅い水を吸水可能に構成されている。これにより、ポンプ３は、設置面とウォーターフェンス本体部１の底面との間に浸水した少量の水を効果的に排水することが可能である。
【００４６】
図６を参照して、底面部材１１および背面部材１２の特性の一例について説明する。
【００４７】
図６に示すように、底面部材１１および背面部材１２は、たとえば、見掛け密度が１６７ｋｇ／ｍ3であり、エンドクラッシュが、筋方向において６３Ｎであり、筋と垂直方向において６Ｎである。なお、エンドクラッシュは、プラスチック製ダンボールの板方向に沿って、圧縮荷重をかけて、折れる際の機械的強度を測定したものである。また、このエンドクラッシュは、５０ｍｍ間隔で測定している。また、フラットクラッシュが、３００ｋＰａである。なお、フラットクラッシュは、プラスチック製段ボールの板方向と直交する方向に荷重をかけて、座屈する際の機械的強度を測定したものである。
【００４８】
図７を参照して、設置力増強部材２の特性の一例について説明する。
【００４９】
図７に示すように、設置力増強部材２は、たとえば、見掛け密度が１１０ｋｇ／ｍ3であり、引張強さが８０ｋＰａであり、伸びが４５０％である。また、設置力増強部材２は、圧縮硬さが、圧縮率が２５％の場合、３．３ｋＰａであり、圧縮率が５０％の場合、４．５ｋＰａである。
【００５０】
図８を参照して、設置力増強部材２の特性（水透過）の一例について説明する。
【００５１】
図８に示すように、水透過について、設置力増強部材２は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、設置力増強部材２は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、設置力増強部材２は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００５２】
設置力増強部材２に用いる気孔率５０％〜６０％程度の半連続気泡構造のスポンジ材は、図８に示す一例のように、圧縮率に応じた透過率となる。また、設置力増強部材２は、５０％以上８０％以下の圧縮率になるように圧縮抑制することにより、半連続気泡構造のスポンジを透過する水量をポンプ３の呼び水として適度な透過水量に抑えることが可能である。また、設置力増強部材２（スポンジ）を透過した水をポンプ３で排水するのでウォーターフェンス本体部１を越えて浸水させないようにすることが可能である。つまり、柱１０の前に水が押し寄せ、水の重量が設置力増強部材２に加わり、ポンプ３を駆動させた場合に、設置力増強部材２の圧縮率が５０％以上８０％以下になることが好ましい。
【００５３】
図９を参照して、チューブ材２１ａおよび２２ａの特性の一例について説明する。
【００５４】
図９に示すように、チューブ材２１ａおよび２２ａは、たとえば、見掛け密度が７８０ｋｇ／ｍ3であり、引張強さが３４０ｋＰａであり、伸びが７５０％である。つまり、チューブ材２１ａおよび２２ａは、設置力増強部材２よりも柔らかい。また、チューブ材２１ａおよび２２ａは、２００％に伸ばした際の引張応力が８０ｋＰａである。なお、引張強さ、伸び率、２００％引張応力は、長さ１０ｃｍのチューブ材２１ａおよび２２ａに２．５ｍｍほどの切り込みを入れて試験を行った。また、チューブ材２１ａおよび２２ａは、吸水率が１．０％以下である。つまり、チューブ材２１ａおよび２２ａは、設置力増強部材２よりも低い吸水率を有する。
【００５５】
（第１実施形態の効果）
第１実施形態では、以下のような効果を得ることができる。
【００５６】
第１実施形態では、上記のように、設置面に沿って配置された底面部材１１と、底面部材１１に接続されて鉛直方向に沿って延びる背面部材１２とを設ける。また、底面部材１１には、底面部材１１と設置面との間の水を吸い取るポンプ３を取り付けるための吸水装置取付部１３を設ける。これにより、ポンプ３によりウォーターフェンス１００の底面部材１１と設置面との間の水が空気とともに吸い取られるので、ウォーターフェンス１００の底面部材１１と設置面との間に負圧を発生させることができる。これにより、底面部材１１および底面部材１１に接続された背面部材１２が設置面に対して浮き上がるのを抑制することができるので、ウォーターフェンス１００の総重量を小さくした場合でも、ウォーターフェンス１００が水に流されるのを抑制することができる。これにより、ウォーターフェンス１００を高く積み上げる必要がない。また、ポンプ３により、侵入しようとする水を排出することができるので、浸水を効果的に抑制することができる。また、底面部材１１と背面部材１２とによりウォーターフェンス１００を構成することにより、ウォーターフェンス１００を箱型形状に形成する場合に比べて、堰としての有効面積が同じ場合、保管時のスペースを小さくすることができる。
【００５７】
また、第１実施形態では、上記のように、底面部材１１および背面部材１２を、それぞれ、折り畳み可能な部材により形成する。これにより、ウォーターフェンス１００を構成する底面部材１１および背面部材１２を折り畳むことができるので、ウォーターフェンス１００の保管時のスペースが大きくなるのを抑制することができる。
【００５８】
また、第１実施形態では、上記のように、底面部材１１の底面に配置し、底面部材１１の設置面への設置性を向上させる設置力増強部材２を設ける。これにより、凹凸のある設置面に対しての設置性や水密性を向上させることができるので、安定してウォーターフェンス１００を設置することができる。その結果、ウォーターフェンス１００の底面からの浸水を効果的に抑制することができる。
【００５９】
また、第１実施形態では、上記のように、底面部材１１を、設置力増強部材２が取り付けられた状態で、設置力増強部材２を内側にして折り畳むことが可能に構成する。これにより、設置力増強部材２に比べて硬くすることができる底面部材１１を外側にして折り畳むことができるので、ウォーターフェンス１００が保管時に変形することを抑制することができる。
【００６０】
また、第１実施形態では、上記のように、底面部材１１および背面部材１２を、それぞれ、プラスチック製段ボールにより形成する。また、底面部材１１のプラスチック製段ボールの筋を、前面から背面に向かう方向（Ｙ方向）に沿って延びるように配置し、背面部材１２のプラスチック製段ボールの筋を、鉛直方向（Ｚ方向）に沿って延びるように配置する。これにより、プラスチック製段ボールにより、ウォーターフェンス１００を容易に組み立てることができる。また、底面部材１１のプラスチック製段ボールの筋を前面から背面に向かう方向（Ｙ方向）に配置することにより、水が押し寄せる方向のウォーターフェンス１００の機械的強度を高めることができるので、ウォーターフェンス１００が、押し寄せる水により変形するのを抑制することができる。また、背面部材１２のプラスチック製段ボールの筋を鉛直方向に配置することにより、背面部材１２の上下方向（Ｚ方向）の機械的強度を高めることができるので、背面部材１２が上下方向に折れ曲がるのを抑制することができる。
【００６１】
（第２実施形態）
次に、図１０〜図１２を参照して、本発明の第２実施形態について説明する。この第２実施形態では、設置力増強部材が分割可能に構成されている上記第１実施形態とは異なり、設置力増強部材が一体的に設けられている構成の例について説明する。
【００６２】
（ウォーターフェンスの構成）
本発明の第２実施形態によるウォーターフェンス２００は、図１０に示すように、ウォーターフェンス本体部２０１と、設置力増強部材２とを備えている。また、ウォーターフェンス本体部２０１には、自吸機能を有したポンプ３が接続されている。また、ウォーターフェンス本体部２０１は、底面部材１１と、背面部材１２と、吸水装置取付部１３と、シール材１４とを含んでいる。なお、ポンプ３は、特許請求の範囲の「吸水装置」の一例である。
【００６３】
ここで、第２実施形態では、図１１に示すように、設置力増強部材２は、底面部材１１に一体的に取り付けられている。また、設置力増強部材２の底面には、１本のチューブ材２ａが貼り付けられている。１本のチューブ材２ａは、設置力増強部材２に沿って、円環状に配置されている。また、１本のチューブ材２ａの端部同士は、互いにオフセットした状態で、隣接して配置されている。
【００６４】
また、第２実施形態では、図１２に示すように、底面部材１１は、設置力増強部材２が取り付けられた状態で、設置力増強部材２を内側にして折り畳むことが可能に構成されている。具体的には、背面部材１２が底面部材１１に対して合わされた状態で、設置力増強部材２を内側にして折り畳むことが可能に構成されている。
【００６５】
なお、第２実施形態のその他の構成は、上記第１実施形態と同様である。
【００６６】
（第２実施形態の効果）
第２実施形態では、以下のような効果を得ることができる。
【００６７】
第２実施形態では、上記第１実施形態と同様に、設置面に沿って配置された底面部材１１と、底面部材１１に接続されて鉛直方向に沿って延びる背面部材１２とを設ける。また、底面部材１１には、底面部材１１と設置面との間の水を吸い取るポンプ３を取り付けるための吸水装置取付部１３を設ける。これにより、ポンプ３によりウォーターフェンス２００の底面部材１１と設置面との間の水が空気とともに吸い取られるので、ウォーターフェンス２００の底面部材１１と設置面との間に負圧を発生させることができる。これにより、底面部材１１および底面部材１１に接続された背面部材１２が設置面に対して浮き上がるのを抑制することができるので、ウォーターフェンス２００の総重量を小さくした場合でも、ウォーターフェンス２００が水に流されるのを抑制することができる。これにより、ウォーターフェンス２００を高く積み上げる必要がない。また、ポンプ３により、侵入しようとする水を排出することができるので、浸水を効果的に抑制することができる。
【００６８】
なお、第２実施形態のその他の効果は、上記第１実施形態と同様である。
【００６９】
（第３実施形態）
次に、図１３〜図１５を参照して、本発明の第３実施形態について説明する。この第３実施形態では、底面部材と背面部材とが一体的に設けられている上記第１および第２実施形態とは異なり、底面部材と背面部材とが互いに着脱可能に構成されている例について説明する。
【００７０】
（ウォーターフェンスの構成）
本発明の第３実施形態によるウォーターフェンス３００は、図１３に示すように、ウォーターフェンス本体部３０１と、設置力増強部材２とを備えている。また、ウォーターフェンス本体部３０１には、自吸機能を有したポンプ３が接続されている。また、ウォーターフェンス本体部３０１は、底面部材１１と、背面部材１２と、吸水装置取付部１３と、シール材１４と、支持棒１５とを含んでいる。なお、ポンプ３は、特許請求の範囲の「吸水装置」の一例である。
【００７１】
ここで、第３実施形態では、図１４に示すように、底面部材１１と、背面部材１２とは、互いに着脱可能に構成されている。具体的には、底面部材１１の背面側（Ｙ１方向側）の辺には、防水ファスナ１１１が設けられている。背面部材１２の下側（Ｚ２方向側）の辺には、防水ファスナ１２１が設けられている。そして、防水ファスナ１１１および１２１を係合することにより、底面部材１１と、背面部材１２とが互いに接続されるように構成されている。また、防水ファスナ１１１および１２１の係合を解除することにより、底面部材１１と、背面部材１２とが互いに分離されるように構成されている。
【００７２】
また、第３実施形態では、図１３に示すように、支持棒１５は、底面部材１１および背面部材１２に係合して、背面部材１２が前面側（Ｙ２方向側）に倒れないように支持するように構成されている。具体的には、支持棒１５は、底面部材１１の前面側（Ｙ２方向側）に設けられた係合部１１ｂに係合するように構成されている。また、支持棒１５は、背面部材１２の上側（Ｚ１方向側）に設けられた係合部１２ａに係合するように構成されている。そして、支持棒１５は、係合部１１ｂと係合部１２ａとの間で突っ張り棒のようにして、背面部材１２を支持するように構成されている。
【００７３】
また、第３実施形態では、図１５に示すように、底面部材１１は、設置力増強部材２が取り付けられた状態で、設置力増強部材２を外側にして折り畳むことが可能に構成されている。具体的には、背面部材１２が底面部材１１に対して取り外された状態で、底面部材１１は、設置力増強部材２を外側にして折り畳むことが可能に構成されている。
【００７４】
なお、第３実施形態のその他の構成は、上記第１実施形態と同様である。
【００７５】
（第３実施形態の効果）
第３実施形態では、以下のような効果を得ることができる。
【００７６】
第３実施形態では、上記第１実施形態と同様に、設置面に沿って配置された底面部材１１と、底面部材１１に接続されて鉛直方向に沿って延びる背面部材１２とを設ける。また、底面部材１１には、底面部材１１と設置面との間の水を吸い取るポンプ３を取り付けるための吸水装置取付部１３を設ける。これにより、ポンプ３によりウォーターフェンス３００の底面部材１１と設置面との間の水が空気とともに吸い取られるので、ウォーターフェンス３００の底面部材１１と設置面との間に負圧を発生させることができる。これにより、底面部材１１および底面部材１１に接続された背面部材１２が設置面に対して浮き上がるのを抑制することができるので、ウォーターフェンス３００の総重量を小さくした場合でも、ウォーターフェンス３００が水に流されるのを抑制することができる。これにより、ウォーターフェンス３００を高く積み上げる必要がない。また、ポンプ３により、侵入しようとする水を排出することができるので、浸水を効果的に抑制することができる。
【００７７】
また、第３実施形態では、上記のように、底面部材１１と、背面部材１２とを、互いに着脱可能に構成する。これにより、底面部材１１と背面部材１２とを分離させた状態で保管することができるので、ウォーターフェンス３００の保管時の自由度を向上させることができる。
【００７８】
なお、第３実施形態のその他の効果は、上記第１実施形態と同様である。
【００７９】
（第４実施形態）
次に、図１６および図１７を参照して、本発明の第４実施形態について説明する。この第４実施形態では、底面部材および背面部材がＸ方向において、それぞれ、一体的に設けられている上記第１〜第３実施形態とは異なり、底面部材および背面部材がＸ方向において、それぞれ、分割可能に構成されている例について説明する。
【００８０】
（ウォーターフェンスの構成）
本発明の第４実施形態によるウォーターフェンス４００は、図１６に示すように、ウォーターフェンス本体部４０１と、設置力増強部材２とを備えている。また、ウォーターフェンス本体部４０１には、自吸機能を有したポンプ３が接続されている。また、ウォーターフェンス本体部４０１は、底面部材４１１と、背面部材４１２と、吸水装置取付部１３と、シール材１４と、底板１６とを含んでいる。なお、ポンプ３は、特許請求の範囲の「吸水装置」の一例である。
【００８１】
ここで、第４実施形態では、ウォーターフェンス本体部４０１は、互いに分割可能に構成されている、第１ウォーターフェンス本体部４０１ａと、第２ウォーターフェンス本体部４０１ｂとを含んでいる。底面部材４１１は、第１底面部材４１１ａと、第２底面部材４１１ｂとを含んでいる。背面部材４１２は、第１背面部材４１２ａと、第２背面部材４１２ｂとを含んでいる。そして、第１底面部材４１１ａおよび第１背面部材４１２ａにより構成される第１ウォーターフェンス本体部４０１ａと、第２底面部材４１１ｂおよび第２背面部材４１２ｂにより構成される第２ウォーターフェンス本体部４０１ｂとは、互いに着脱可能に構成されている。
【００８２】
第１底面部材４１１ａの第２底面部材４１１ｂ側（Ｘ１方向側）の辺には、防水ファスナ１１２が設けられている。第２底面部材４１１ｂの第１底面部材４１１ａ側（Ｘ２方向側）の辺には、防水ファスナ１１２が設けられている。そして、防水ファスナ１１２同士を係合することにより、第１底面部材４１１ａと、第２底面部材４１１ｂとが互いに接続されるように構成されている。また、防水ファスナ１１２同士の係合を解除することにより、第１底面部材４１１ａと、第２底面部材４１１ｂとが互いに分離されるように構成されている。
【００８３】
第１背面部材４１２ａの第２背面部材４１２ｂ側（Ｘ１方向側）の辺には、防水ファスナ１２２が設けられている。第２背面部材４１２ｂの第１背面部材４１２ａ側（Ｘ２方向側）の辺には、防水ファスナ１２２が設けられている。そして、防水ファスナ１２２同士を係合することにより、第１背面部材４１２ａと、第２背面部材４１２ｂとが互いに接続されるように構成されている。また、防水ファスナ１２２同士の係合を解除することにより、第１背面部材４１２ａと、第２背面部材４１２ｂとが互いに分離されるように構成されている。
【００８４】
吸水装置取付部１３は、第１底面部材４１１ａに設けられている。つまり、吸水装置取付部１３は、第１底面部材４１１ａおよび第２底面部材４１１ｂのいずれか一方に設けられている。
【００８５】
底板１６は、図１６に示すように、底面部材４１１と、設置力増強部材２との間に配置されている。また、底板１６は、底面部材４１１の底面を覆うように配置されている。また、底板１６は、Ｘ方向に分割されて、２つ設けられている。具体的には、底板１６は、吸水装置取付部１３を中心に第１ウォーターフェンス本体部４０１ａおよび第２ウォーターフェンス本体部４０１ｂの底面に設けられている。この図１６に示す第４実施形態においては、底板１６は、Ｘ方向において、ウォーターフェンス本体部４０１の半分の長さに対応する長さを有するように形成されていることが望ましい。また、底板１６は、吸水装置取付部１３を中心として底面部材４１１の底面に配置されており、図４と同様に、当接部１３１とともに第１底面部材４１１ａおよび第２底面部材４１１ｂおよび底板１６を挟み込んで固定する締結部材１３３によって締結される。また、底板１６には、吸水装置取付部１３を通すための切り欠きが設けられている。また、底板１６には、設置力増強部材２が貼り付けられている。具体的には、設置力増強部材２は、両面テープなどの接着層を介して、底板１６に取り付けられる。また、底板１６は、樹脂などにより形成されている。また、底板１６の厚さは、０．５ｍｍ以上１ｍｍ以下程度である。
【００８６】
なお、第４実施形態のその他の構成は、上記第１実施形態と同様である。
【００８７】
（第４実施形態の効果）
第４実施形態では、以下のような効果を得ることができる。
【００８８】
第４実施形態では、上記第１実施形態と同様に、設置面に沿って配置された底面部材４１１と、底面部材４１１に接続されて鉛直方向に沿って延びる背面部材４１２とを設ける。また、底面部材４１１には、底面部材４１１と設置面との間の水を吸い取るポンプ３を取り付けるための吸水装置取付部１３を設ける。これにより、ポンプ３によりウォーターフェンス４００の底面部材４１１と設置面との間の水が空気とともに吸い取られるので、ウォーターフェンス４００の底面部材４１１と設置面との間に負圧を発生させることができる。これにより、底面部材４１１および底面部材４１１に接続された背面部材４１２が設置面に対して浮き上がるのを抑制することができるので、ウォーターフェンス４００の総重量を小さくした場合でも、ウォーターフェンス４００が水に流されるのを抑制することができる。これにより、ウォーターフェンス４００を高く積み上げる必要がない。また、ポンプ３により、侵入しようとする水を排出することができるので、浸水を効果的に抑制することができる。
【００８９】
また、第４実施形態では、上記のように、第１底面部材４１１ａおよび第１背面部材４１２ａにより構成される第１ウォーターフェンス本体部４０１ａと、第２底面部材４１１ｂおよび第２背面部材４１２ｂにより構成される第２ウォーターフェンス本体部４０１ｂとを、互いに着脱可能に構成する。これにより、浸水を防ぎたい場所の大きさに合わせてウォーターフェンス４００の長さを調整することができるので、必要以上にウォーターフェンスを長くする必要がない。
【００９０】
また、第４実施形態では、上記のように、吸水装置取付部１３を、第１底面部材４１１ａおよび第２底面部材４１１ｂのうち第１底面部材４１１ａに設ける。これにより、第１ウォーターフェンス本体部４０１ａのみでウォーターフェンス４００を構成することができる。なお、第１ウォーターフェンス本体部４０１ａのみでウォーターフェンス４００を構成する場合、第１ウォーターフェンス本体部４０１ａ底面の、Ｘ１方向側の開放端側に設置力増強部材２を設け、設置力増強部材２により囲まれた領域を形成する必要がある。また、第１ウォーターフェンス本体部４０１ａのみでウォーターフェンス４００を構成する場合、底板１６のＸ方向における長さは、第１ウォーターフェンス本体部４０１ａのＸ方向の長さに対応する長さを有するように形成してもよい。
【００９１】
また、第４実施形態では、上記のように、底面部材４１１と、設置力増強部材２との間に配置され、底面部材４１１の底面を覆う底板１６を設け、設置力増強部材２を、底板１６に貼り付けている。これにより、設置力増強部材２を底面部材４１１の底面に容易に取り付けることができるので、ウォーターフェンス４００を短時間で組み立てることができる。
【００９２】
なお、第４実施形態のその他の効果は、上記第１実施形態と同様である。
【００９３】
（第５実施形態）
次に、図１８を参照して、本発明の第５実施形態について説明する。この第５実施形態では、底面部材および背面部材を被覆材により覆われた部材により形成されている例について説明する。
【００９４】
（ウォーターフェンスの構成）
本発明の第５実施形態によるウォーターフェンス５００は、図１８に示すように、ウォーターフェンス本体部５０１と、設置力増強部材２とを備えている。また、ウォーターフェンス本体部５０１には、自吸機能を有したポンプ３が接続されている。また、ウォーターフェンス本体部５０１は、底面部材５１１と、背面部材５１２と、吸水装置取付部１３と、シール材１４と、底板１６とを含んでいる。なお、ポンプ３は、特許請求の範囲の「吸水装置」の一例である。
【００９５】
ここで、第５実施形態では、底面部材５１１および背面部材５１２は、それぞれ、被覆材５１３に覆われている。また、ウォーターフェンス本体部５０１は、互いに分割可能に構成されている、第１ウォーターフェンス本体部５０１ａと、第２ウォーターフェンス本体部５０１ｂとを含んでいる。底面部材５１１は、第１底面部材５１１ａと、第２底面部材５１１ｂとを含んでいる。背面部材５１２は、第１背面部材５１２ａと、第２背面部材５１２ｂとを含んでいる。そして、第１底面部材５１１ａおよび第１背面部材５１２ａにより構成される第１ウォーターフェンス本体部５０１ａと、第２底面部材５１１ｂおよび第２背面部材５１２ｂにより構成される第２ウォーターフェンス本体部５０１ｂとは、互いに着脱可能に構成されている。
【００９６】
第１底面部材５１１ａおよび第１背面部材５１２ａは、共通の被覆材５１３に覆われている。これにより、第１底面部材５１１ａおよび第１背面部材５１２ａは、境界を折り目として容易に折り畳むことが可能に連結されている。また、第２底面部材５１１ｂおよび第２背面部材５１２ｂは、共通の被覆材５１３に覆われている。これにより、第２底面部材５１１ｂおよび第２背面部材５１２ｂは、境界を折り目として容易に折り畳むことが可能に連結されている。
【００９７】
また、第５実施形態では、被覆材５１３は、防水性および耐摩耗性に優れた材料により形成されている。たとえば、被覆材５１３は、樹脂製繊維を織ったシート状の材料により形成されている。また、被覆材５１３は、第１底面部材５１１ａ、第１背面部材５１２ａ、第２底面部材５１１ｂおよび第２背面部材５１２ｂよりも小さい厚みを有している。たとえば、被覆材５１３は、２ｍｍ程度の厚さを有している。また、被覆材５１３は、第１底面部材５１１ａ、第１背面部材５１２ａ、第２底面部材５１１ｂおよび第２背面部材５１２ｂよりも折り畳みやすい材料により形成されている。
【００９８】
第１底面部材５１１ａの第２底面部材５１１ｂ側（Ｘ１方向側）の辺には、防水ファスナ１１２が設けられている。防水ファスナ１１２は、第１底面部材５１１ａを覆う被覆材５１３に溶着されている。第２底面部材５１１ｂの第１底面部材５１１ａ側（Ｘ２方向側）の辺には、防水ファスナ１１２が設けられている。防水ファスナ１１２は、第２底面部材５１１ｂを覆う被覆材５１３に溶着されている。そして、防水ファスナ１１２同士を係合することにより、第１底面部材５１１ａと、第２底面部材５１１ｂとが互いに接続されるように構成されている。また、防水ファスナ１１２同士の係合を解除することにより、第１底面部材５１１ａと、第２底面部材５１１ｂとが互いに分離されるように構成されている。
【００９９】
第１背面部材５１２ａの第２背面部材５１２ｂ側（Ｘ１方向側）の辺には、防水ファスナ１２２が設けられている。防水ファスナ１２２は、第１背面部材５１２ａを覆う被覆材５１３に溶着されている。第２背面部材５１２ｂの第１背面部材５１２ａ側（Ｘ２方向側）の辺には、防水ファスナ１２２が設けられている。防水ファスナ１２２は、第２背面部材５１２ｂを覆う被覆材５１３に溶着されている。そして、防水ファスナ１２２同士を係合することにより、第１背面部材５１２ａと、第２背面部材５１２ｂとが互いに接続されるように構成されている。また、防水ファスナ１２２同士の係合を解除することにより、第１背面部材５１２ａと、第２背面部材５１２ｂとが互いに分離されるように構成されている。
【０１００】
底板１６は、第４実施形態と同様に構成されている。具体的には、底板１６は、底面部材５１１と、設置力増強部材２との間に配置されている。また、底板１６は、底面部材５１１の底面を覆うように配置されている。また、底板１６には、設置力増強部材２が貼り付けられている。
【０１０１】
なお、第５実施形態のその他の構成は、上記第１実施形態と同様である。
【０１０２】
（第５実施形態の効果）
第５実施形態では、以下のような効果を得ることができる。
【０１０３】
第５実施形態では、上記第１実施形態と同様に、設置面に沿って配置された底面部材５１１と、底面部材５１１に接続されて鉛直方向に沿って延びる背面部材５１２とを設ける。また、底面部材５１１には、底面部材５１１と設置面との間の水を吸い取るポンプ３を取り付けるための吸水装置取付部１３を設ける。これにより、ポンプ３によりウォーターフェンス５００の底面部材５１１と設置面との間の水が空気とともに吸い取られるので、ウォーターフェンス５００の底面部材５１１と設置面との間に負圧を発生させることができる。これにより、底面部材５１１および底面部材５１１に接続された背面部材５１２が設置面に対して浮き上がるのを抑制することができるので、ウォーターフェンス５００の総重量を小さくした場合でも、ウォーターフェンス５００が水に流されるのを抑制することができる。これにより、ウォーターフェンス５００を高く積み上げる必要がない。また、ポンプ３により、侵入しようとする水を排出することができるので、浸水を効果的に抑制することができる。
【０１０４】
また、第５実施形態では、上記のように、第１底面部材５１１ａ、第１背面部材５１２ａ、第２底面部材５１１ｂおよび第２背面部材５１２ｂを、被覆材５１３により覆う。これにより、ウォーターフェンス本体部５０１の耐摩耗性を高めることができるとともに、底面部材５１１と背面部材５１２の境界を折り目として容易に折り畳むことが可能に構成することができる。
【０１０５】
なお、第５実施形態のその他の効果は、上記第１実施形態と同様である。
【０１０６】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１０７】
たとえば、上記第１〜第５実施形態では、底面部材および背面部材をプラスチック製段ボールにより形成する構成の例を示したが、本発明はこれに限らない。本発明では、底面部材および背面部材を、水を透過させないで、かつ、折り畳み可能で自立する素材であれば、プラスチック製段ボール以外により形成してもよい。
【０１０８】
また、上記第１〜第５実施形態では、底面部材および背面部材を、折り畳み可能な部材により形成する構成の例を示したが、本発明はこれに限らない。本発明では、底面部材および背面部材を、硬質の板状の部材により形成してもよい。また、底面部材および背面部材を、巻き回してコンパクトにすることが可能な部材により形成してもよい。
【０１０９】
また、上記第４および第５実施形態では、底板を設け、底板に設置力増強部材を貼り付ける構成の例を示したが、本発明はこれに限らない。本発明では、図１９に示す第４および第５実施形態の変形例によるウォーターフェンス６００のように、第１ウォーターフェンス本体部４０１ａおよび第２ウォーターフェンス本体部４０１ｂを分割可能な構成において、設置力増強部材２を直接第１底面部材４１１ａおよび第２底面部材４１１ｂに貼り付けてもよい。
【０１１０】
また、上記第４実施形態では、吸水装置取付部を第１底面部材に設ける構成の例を示したが、本発明はこれに限らない。本発明では、吸水装置取付部を第２底面部材に設けてもよいし、第１底面部材および第２底面部材の両方に設けてもよい。
【０１１１】
また、上記第５実施形態では、被覆材に覆われたプラスチック製の段ボールを被覆材とともに折り畳む構成の例を示したが、本発明はこれに限らない。本発明では、図２０に示す第５実施形態の変形例によるウォーターフェンス７００のように、底面部材７１１および背面部材７１２の折り畳む部分にプラスチック製の段ボールを配置せずに、被覆材７１３のみを設けるようにしてもよい。具体的には、底面部材７１１は、プラスチック製の段ボールにより形成された底面部材７１１ａ、７１１ｂ、７１１ｃおよび７１１ｄを含んでいてもよい。また、背面部材７１２は、プラスチック製の段ボールにより形成された背面部材７１２ａ、７１２ｂ、７１２ｃおよび７１２ｄを含んでいてもよい。これにより、ウォーターフェンス本体部７０１を、底面部材７１１および背面部材７１２の間を折り目にして容易に折り畳むことが可能である。また、底面部材７１１を、底面部材７１１ａおよび７１１ｂの間と、底面部材７１１ｃおよび７１１ｄの間とを折り目にして容易に折り畳むことが可能である。また、背面部材７１２を、背面部材７１２ａおよび７１２ｂの間と、背面部材７１２ｃおよび７１２ｄの間とを折り目にして容易に折り畳むことが可能である。その結果、この第５実施形態の変形例では、第１ウォーターフェンス本体部７０１ａおよび第２ウォーターフェンス本体部７０１ｂのそれぞれを４つ折にすることが可能となる。もちろん、この変形例以上に折り畳み可能に構成する境界を増やしてもよい。
【０１１２】
また、上記第５実施形態では、被覆材により底面部材および背面部材が覆われた構成の例を示したが、第１〜第４実施形態における底面部材および背面部材についても、第５実施形態と同様に被覆材により覆ってもよい。
【０１１３】
また、上記第１〜第５実施形態では、ウォーターフェンスが直線的に形成されている構成の例を示したが、本発明はこれに限らない。本発明では、ウォーターフェンスが折れ曲がるように形成されていてもよい。
【０１１４】
また、上記第１〜第５実施形態では、設置力増強部材が、１層により形成されている例を示したが、本発明はこれに限らない。本発明では、設置力増強部材を２層以上により形成してもよい。また、設置力増強部材を、気孔率８０％〜９０％程度のスポンジ材により形成してもよい。また、設置力増強部材を、吸水率が大きい材料により形成してもよい。たとえば、設置力増強部材を、ＰＶＡ（ポリビニールアルコール）製のスポンジ材により形成してもよい。
【０１１５】
また、上記第１〜第５実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【符号の説明】
【０１１６】
２、２１、２２  設置力増強部材
３  ポンプ（吸水装置）
１１、４１１、５１１、７１１  底面部材
１２、４１２、５１２、７１２  背面部材
１３  吸水装置取付部
１６  底板
１００、２００、３００、４００、５００、６００、７００  ウォーターフェンス
４０１ａ、５０１ａ、７０１ａ  第１ウォーターフェンス本体部
４０１ｂ、５０１ｂ、７０１ｂ  第２ウォーターフェンス本体部
４１１ａ、５１１ａ  第１底面部材
４１１ｂ、５１１ｂ  第２底面部材
４１２ａ、５１２ａ  第１背面部材
４１２ｂ、５１２ｂ  第２背面部材
【図１】
2018017046.tif 000003
【図２】
2018017046.tif 000004
【図３】
2018017046.tif 000005
【図４】
2018017046.tif 000006
【図５】
2018017046.tif 000007
【図６】
2018017046.tif 000008
【図７】
2018017046.tif 000009
【図８】
2018017046.tif 000010
【図９】
2018017046.tif 000011
【図１０】
2018017046.tif 000012
【図１１】
2018017046.tif 000013
【図１２】
2018017046.tif 000014
【図１３】
2018017046.tif 000015
【図１４】
2018017046.tif 000016
【図１５】
2018017046.tif 000017
【図１６】
2018017046.tif 000018
【図１７】
2018017046.tif 000019
【図１８】
2018017046.tif 000020
【図１９】
2018017046.tif 000021
【図２０】
2018017046.tif 000022